(57)【要約】      （修正有）【課題】レンズ鏡筒の外側にフォーカス駆動手段を配置し、更にフォーカスレンズおよびズームレンズのリセット位置を１つの検出手段で行う構成にて、性能を維持しつつ小型化および薄型化を実現する。【解決手段】レンズ鏡筒は固定筒の内側には回転筒８と直進案内筒９が位置し、固定筒の外側にズーム駆動部とフォーカス駆動部６−１，６−２，６−３を備え、フォーカスレンズ保持枠７は腕部７−１を有し、フォーカス駆動部６−１，６−２，６−３によって光軸方向へ駆動される。フォトインタラプタ１０は被検出部７−２との位置関係に基づいてレンズ鏡筒の繰り出し時にズームレンズのリセット位置を検出し、さらに、フォーカスレンズ保持枠７が駆動されて、回転筒８、直進案内筒９、およびズームレンズ保持枠から離れる方向へ移動した後にフォーカス駆動部６−１，６−２，６−３の駆動方向が反転した場合、フォーカスレンズのリセット位置を検出する。【選択図】図６
2013156490.tif 000002
【特許請求の範囲】
【請求項１】
ズームレンズ保持手段を駆動するズーム駆動手段およびフォーカスレンズ保持手段を駆動するフォーカス駆動手段を備え、固定筒の内側に回転筒および直進案内筒を備えるレンズ鏡筒であって、
前記フォーカスレンズのリセット位置および前記ズームレンズのリセット位置を検出する位置検出手段と、
前記フォーカスレンズ保持手段をレンズ鏡筒の繰り出し方向に付勢する付勢手段を備え、
前記フォーカスレンズ保持手段は、光軸に対して直交する方向に延びる腕部と、前記位置検出手段によって検出される被検出部とを有し、
前記位置検出手段は、前記レンズ鏡筒の沈胴位置にて前記被検出部を検出し、
前記ズーム駆動手段によって前記ズームレンズ保持手段が光軸方向に沿って繰り出し方向へ移動する場合、前記位置検出手段は、前記フォーカスレンズ保持手段の被検出部が前記位置検出手段から離れた状態で前記ズームレンズのリセット位置を検出し、
さらに、前記フォーカスレンズ保持手段が前記ズームレンズ保持手段から離れる方向へ移動した後に前記フォーカス駆動手段の駆動方向が反転した場合、前記位置検出手段から前記被検出部が離れた状態で前記位置検出手段が前記フォーカスレンズのリセット位置を検出することを特徴とするレンズ鏡筒。
【請求項２】
前記回転筒は、前記固定筒の内周面に形成されたカム溝を有し、
前記直進案内筒は、直進案内溝を有し、
前記ズームレンズ保持手段は、前記回転筒の内周面に設けられたカム溝および前記直進案内筒に設けられた直進案内溝に沿って移動可能に係合することによって光軸方向へ移動可能であることを特徴とする請求項１に記載のレンズ鏡筒。
【請求項３】
前記回転筒は、前記フォーカスレンズ保持手段の腕部に対応した切り欠き部を有しており、
前記ズームレンズ保持手段が前記光軸方向に沿って繰り出し方向へ移動する場合、前記位置検出手段が前記沈胴位置から前記ズームレンズのリセット位置を検出するまでの間、前記フォーカスレンズの保持手段の腕部と前記回転筒とが接触することなく一体的に光軸方向に移動することを特徴とする請求項２に記載のレンズ鏡筒。
【請求項４】
前記回転筒の切り欠き部は、前記位置検出手段が前記ズームレンズのリセット位置を検出する状態まで前記フォーカスレンズ保持手段の腕部に当接しない角度範囲に形成されていることを特徴とする請求項３に記載のレンズ鏡筒。
【請求項５】
前記位置検出手段が前記ズームレンズのリセット位置を検出する状態にて、前記回転筒の切り欠き部のうち前記フォーカスレンズ保持手段の腕部に接近する側の端部および前記フォーカスレンズ保持手段の腕部にそれぞれテーパー部が形成されていることを特徴とする請求項４に記載のレンズ鏡筒。
【請求項６】
前記フォーカスレンズ保持手段の腕部は前記直進案内筒と当接する当接部を有することを特徴とする請求項１から５のいずれか１項に記載のレンズ鏡筒。
【請求項７】
前記回転筒は内周面にカム溝を有し、該カム溝に対応したカムフォロアを有するズームレンズ保持手段の組み込み位相となる部分の位置と、前記回転筒に形成した切り欠き部の端部の位置が一致していることを特徴とする請求項３から６のいずれか１項に記載のレンズ鏡筒。
【請求項８】
請求項１から７のいずれか１項に記載のレンズ鏡筒
を備えることを特徴とする撮像装置。
【発明の詳細な説明】
【技術分野】
【０００１】
本発明は、レンズ保持枠を光軸方向に移動させるレンズ鏡筒およびそれを備えた撮像装置に関し、特に撮像装置の沈胴式レンズ鏡筒に関するものである。
【背景技術】
【０００２】
近年、デジタルカメラ等の撮像装置においては、高倍率化が進むと同時に、小型化および薄型化が求められている。高倍率化の達成には、レンズ鏡筒の駆動量を増加させる必要があるので、レンズ保持枠を駆動する為のカム溝を長くする方法や、レンズ鏡筒の段数を増やす方法が用いられる。しかし、これらの方法はレンズ鏡筒の光軸方向や半径方向の大型化を招く原因となる。
これに対して、特許文献１では高倍率でありながら光軸方向の寸法を短縮し、かつ半径方向の寸法増加を抑制する構成を有するレンズ鏡筒が開示されている。この構成では、フォーカスモータをレンズ鏡筒の内部に配置しているため、半径方向における小型化には限界があり、またフォーカスモータのリードスクリューにより光軸方向の寸法も制約を受けてしまう。
【先行技術文献】
【特許文献】
【０００３】
【特許文献１】特開２００５−０９１７８２号公報
【発明の開示】
【発明が解決しようとする課題】
【０００４】
フォーカスモータをレンズ鏡筒の内部に配置する構成に比べて、フォーカスモータをレンズ鏡筒の外側に配置する構成は、半径方向の小型化には効果があるが、次のような問題があった。
フォーカスモータからギヤ連結によりフォーカスレンズを駆動する場合、リードスクリューはレンズ鏡筒内に配置されることになる。従って、光軸方向の小型化に限界がある。また、フォーカスモータにリードスクリューを設け、これを直接にレンズ保持枠と螺合させることでフォーカスレンズを駆動する場合、レンズ保持枠からフォーカスモータ側へ延びる腕部の厚み分だけ光軸方向の小型化には不利になってしまう。
【０００５】
一般的にフォーカス動作およびズーム動作の制御では累積誤差を無くすために沈胴位置から繰り出し動作を行う際に、その都度リセット位置を検出して正確な位置補正を行う必要がある。そのためには通常、フォーカスリセット検出用およびズームリセット検出用に合計２個のフォトインタラプタが用いられる。しかしながら２個のフォトインタラプタを配置することは小型化を阻害する要因となり、更にコスト上昇を招く原因となる。そこで、フォーカスリセット検出およびズームリセット検出を１個のフォトインタラプタで行う方法が望ましい。
本発明は、レンズ鏡筒の外側にフォーカス駆動手段を配置し、更にフォーカスレンズおよびズームレンズのリセット位置を１つの検出手段で行う構成にて、性能を維持しつつ小型化および薄型化を実現できるレンズ鏡筒の提供を目的とする。
【課題を解決するための手段】
【０００６】
上記課題を解決するために、本発明に係るレンズ鏡筒は、ズームレンズ保持手段を駆動するズーム駆動手段およびフォーカスレンズ保持手段を駆動するフォーカス駆動手段を備え、固定筒の内側に回転筒および直進案内筒を備えるレンズ鏡筒であって、前記フォーカスレンズのリセット位置および前記ズームレンズのリセット位置を検出する位置検出手段と、前記フォーカスレンズ保持手段をレンズ鏡筒の繰り出し方向に付勢する付勢手段を備え、前記フォーカスレンズ保持手段は、光軸に対して直交する方向に延びる腕部と、前記位置検出手段によって検出される被検出部とを有する。前記位置検出手段は、前記レンズ鏡筒の沈胴位置にて前記被検出部を検出し、前記ズーム駆動手段によって前記ズームレンズ保持手段が光軸方向に沿って繰り出し方向へ移動する場合、前記位置検出手段は、前記フォーカスレンズ保持手段の被検出部が前記位置検出手段から離れた状態で前記ズームレンズのリセット位置を検出し、さらに、前記フォーカスレンズ保持手段が前記ズームレンズ保持手段から離れる方向へ移動した後に前記フォーカス駆動手段の駆動方向が反転した場合、前記位置検出手段から前記被検出部が離れた状態で前記位置検出手段が前記フォーカスレンズのリセット位置を検出する。
【発明の効果】
【０００７】
本発明によれば、レンズ鏡筒の外側にフォーカス駆動手段を配置し、更にフォーカスレンズおよびズームレンズのリセット位置を１つの検出手段で行う構成にて、性能を維持しつつ小型化および薄型化を実現できる。
【図面の簡単な説明】
【０００８】
【図１】図２乃至８と併せて本発明の実施形態を説明するために、レンズ鏡筒の主要部品を示した斜視図である。
【図２】デジタルカメラを正面側から示す斜視図である。
【図３】レンズ鏡筒全体を示した正面図である。
【図４】レンズ鏡筒の主要部品を示す分解斜視図である。
【図５】レンズ鏡筒の主要部品を正面側から示す分解斜視図である。
【図６】リセット位置検出時の模式図である。
【図７】リセット位置検出の処理例を示すフローチャートである。
【図８】回転筒のカム展開図である。
【発明を実施するための形態】
【０００９】
以下、本発明の実施形態を図面に基づいて説明する。
図１に示すレンズ鏡筒の構成を説明する前に、本実施形態に係る撮像装置を説明する。
図２は本実施形態に係る撮像装置の一例としてのデジタルカメラ１を正面側から示す斜視図である。デジタルカメラ１の本体部の正面には、沈胴式のレンズ鏡筒２が配置されている。デジタルカメラ１の撮像素子は、レンズ鏡筒２を介して被写体からの光を受光して画像信号を出力する。デジタルカメラ１の本体部の上面に配置したズームレバー３は、ユーザが時計回りに回転させることで望遠側へ、また反時計回りに回転させることで広角側へレンズ鏡筒２の画角を変化させることができる。ズームレバー３と同軸上に配置されたレリーズボタン４は２段スイッチ構成となっている。ユーザが１段目のスイッチを操作するとレンズ鏡筒２内のフォーカス駆動用ステッピングモータが駆動されて焦点調節動作が行われる。さらにユーザが２段目のスイッチを操作することで、図示しない記録媒体（着脱可能なメモリーカード等）に撮影した画像データが記録される。
【００１０】
次に図１および図３ないし５を参照してデジタルカメラ１の内部に配置されたレンズ鏡筒２の構造を詳細に説明する。以下では、図中にＺ軸で示す光軸方向において被写体側を前方（＋Ｚ方向）とし、その反対方向を後方（−Ｚ方向）と定義して各部の前後関係を説明する。
図１はレンズ鏡筒２の主要部を後方から示した斜視図である。図３はレンズ鏡筒２の全体を示した正面図であり、固定筒１１と、ズーム駆動部５、フォーカス駆動部６、撮像素子ホルダ１３を示す。図４はレンズ鏡筒２の主要部を前側から見た場合の分解斜視図である。図５は固定筒１１を取り外してレンズ鏡筒２を前側から示した分解斜視図である。
図３において、固定筒１１はその内周面に可動部材（後述の回転筒８）を光軸方向に駆動させるためのカム溝を有している。撮像素子ホルダ１３は、撮像素子を保持すると共に固定筒１１と共に構造体を形成する非可動部材である。撮像素子はＣＣＤ（電荷結合素子）やＣＭＯＳ（相補型金属酸化膜半導体）等を用いた受光手段であり、被写体からの光を受光して光電変換を行う。
固定筒１１の外側にはズーム駆動手段およびフォーカス駆動手段が設けられている。つまり、正面から見て固定筒１１の右下部にズーム駆動部５が付設されており、ユーザによるズームレバー３の操作指示に従って、駆動ギヤ５−１を介して後述の回転筒８へ動力を伝えることで、レンズの変倍動作を行う。また、正面から見て固定筒１１の左下部に付設したフォーカス駆動部６は、後述する機構によりフォーカスレンズを駆動させる。
【００１１】
図５は固定筒１１の内側に位置する部材を前方から順に示し、ズームレンズ保持枠１２、直進案内筒９、回転筒８、フォーカスレンズ保持枠７と、さらには撮像素子ホルダ１３を示す。
ズームレンズを保持するズームレンズ保持枠１２は外側に突出したカムフォロア１２−１を備える。光軸を中心に回転する回転筒８の内周面には、レンズ鏡筒２の広角端と望遠端との間の範囲において光軸方向の変位がない直線状の回転案内溝８−５が設けられている。また回転筒８は内周面に、ズームレンズ保持枠１２のカムフォロア１２−１に対応したカム溝８−４を有する。なお、回転筒８に形成した溝部（図８参照）については後で詳細に説明する。回転筒８の外周部には回転駆動用のギヤが形成されている。
直進案内筒９は、その外周面の前端寄りの位置に、回転案内溝８−５に対応した直進案内ピン９−３が設けられている。また、直進案内筒９は、その後端部から外側に突出した直進キー９−１を有している。直進キー９−１は、固定筒１１にて光軸方向に形成したキー溝（回転規制部）に嵌合することで回転が規制される。即ち、直進案内筒９は、回転筒８が回転して光軸方向に移動する場合、回転せずに相対的に回転筒８と共に光軸方向へ移動する。また、直進案内筒９にはズームレンズ保持枠１２のカムフォロア１２−１に対応する直進案内溝９−４が設けられている。カムフォロア１２−１は直進案内溝９−４を貫通して、回転筒８のカム溝８−４に当接する。即ち、ズームレンズ保持枠１２は、回転筒８の回転に伴って光軸方向へ移動可能であり、レンズ位置に応じた変倍動作が行われる。
【００１２】
図１および図４に示すフォーカスレンズ保持枠７はフォーカスレンズの保持手段であり、光軸に対して直交する方向に延びる腕部７−１を有する。腕部７−１には円筒状のガイドバー嵌合部７−６が設けられており、ガイドバー６−４に対して摺動可能に嵌合する。ガイドバー６−４は撮像素子ホルダ１３（図１、図４には不図示）に保持および固定された軸部材である。またフォーカスレンズ保持枠７は、回転止め用の切り欠き部７−５を有しており、撮像素子ホルダ１３に形成した軸状部１３−１（図５参照）に対して摺動可能に係合する。これにより、フォーカスレンズ保持枠７は、光軸方向と直交する平面内で位置決めがなされている。ガイドバー嵌合部７−６の後端寄りの側面部にはフック部７−７が形成され、スプリング６−５の一端部が掛けられており、スプリング６−５の他端部は、撮像素子ホルダ１３に形成した係止部に掛けられている。このスプリング６−５の付勢力により、フォーカスレンズ保持枠７は常に前方へ付勢されている。
フォーカス駆動部６のステッピングモータ６−１はリードスクリュー６−２を有しており、これにはナット６−３が螺合している。ステッピングモータ６−１は不図示の駆動回路の出力に従って回転し、ナット６−３はリードスクリュー６−２に沿って光軸方向への移動が可能である。即ち、フォーカスレンズ保持枠７は、スプリング６−５による付勢力と、ナット６−３の移動により光軸方向への移動が可能である。
【００１３】
また、駆動ギヤ５−１（図３参照）は、ズーム駆動部５のズーム駆動用ＤＣモータに連結された図示しない複数の減速ギヤに噛み合っており、該モータが発生する駆動力を受けて回転筒８を回転駆動させる。回転筒８はその回転駆動に伴い、固定筒１１の内面に設けたカム溝に沿ってカムフォロア８−３が移動することで、光軸を中心として回転しながら光軸方向へ移動する。
ところで、ズームレンズやフォーカスレンズについては、レンズ鏡筒２が沈胴状態から始動する際に累積誤差を無くして位置精度を高めるために、その都度リセット位置の検出を行って補正する必要がある。本実施形態にてこのリセット位置検出は、１個のフォトインタラプタ１０（図１参照）を用いて行っている。フォトインタラプタ１０は投光部と受光部を備えており、投光部の光を受光部が受光できる状態と、受光できない状態、即ち遮光状態を検知して検出信号を出力する。具体的には、フォーカスレンズ保持枠７は旗形状の被検出部７−２（図４参照）を有しており、この被検出部７−２が投光部の光を遮っているか否かの状態について検出される。
以下、図６、図７を用いてズームレンズおよびフォーカスレンズのリセット位置検出方法について説明する。図６は検出時の様子を示した模式図であり、図７は検出時の処理例を示すフローチャートである。
【００１４】
図６（Ａ）はレンズ鏡筒２の沈胴状態を示す。フォトインタラプタ１０は被検出部７−２によって光が遮られた状態（以下、暗状態という）であり、このときに沈胴位置を検出している。また、リードスクリュー６−２に螺合したナット６−３は停止しており、ナット６−３との腕部７−１との間には所定のクリアランスがある。
沈胴位置から繰り出し動作が行われ、図６（Ｂ）に示す状態でズーム駆動用ＤＣモータの駆動力により回転筒８が回転する。回転筒８および直進案内筒９およびズームレンズ保持枠１２は、光軸方向に沿って前方へ移動する。その際、前述のようにナット６−３と腕部７−１との間にはクリアランスがあり、フォーカスレンズ保持枠７はスプリング６−５により被写体側へ付勢されている。このため、フォーカスレンズ保持枠７は回転筒８および直進案内筒９に合わせて、これらと共に前方へ移動する。フォーカスレンズ保持枠７が移動すると被検出部７−２はフォトインタラプタ１０から離れるので、フォトインタラプタ１０は光を受光できる状態（以下、明状態という）となる。検出信号が不図示の制御部に出力され、この時のズーム位置がズームリセット位置として検出される。
【００１５】
次に図６（Ｃ）に示すように、更にズーム駆動用ＤＣモータの駆動により回転筒８および直進案内筒９、更にはズームレンズ保持枠１２が繰り出し方向に移動し、これらに合わせて移動してきたフォーカスレンズ保持枠７の腕部７−１がナット６−３と当接する。よってフォーカスレンズ保持枠７はナット６−３により位置規制を受けるので、これ以上移動することはできない。
次に図６（Ｄ）に示すように、更にズーム駆動用ＤＣモータの駆動により回転筒８および直進案内筒９およびズームレンズ保持枠１２が繰り出し方向に移動する。一方、ステッピングモータ６−１の駆動により、ナット６−３を介してフォーカスレンズ保持枠７は後方に押し込まれた状態となる。この時、被検出部７−２はフォトインタラプタ１０の光を遮るので暗状態となる。そして図６（Ｅ）に示すようにナット６−３は逆方向（前方）に移動し、フォーカスレンズ保持枠７はスプリング６−５の力により被写体側へ移動した状態となる。被検出部７−２はフォトインタラプタ１０から離れるので、フォトインタラプタ１０は明状態となる。検出信号が不図示の制御部に出力され、この時のフォーカス位置はフォーカスリセット位置として検出される。
【００１６】
図７を参照して処理の流れを説明する。なお、以下の処理は撮像装置の制御部を構成するＣＰＵ（中央演算処理装置）がプログラムを実行することによって実現される。
Ｓ７０１でズーム駆動が開始し、Ｓ７０２にて制御部はフォトインタラプタ１０が明状態であるか否かを判定する。判定結果が明状態の場合、Ｓ７０３に処理を進め、また判定結果が暗状態の場合、Ｓ７０１に戻る。Ｓ７０３で制御部はフォトインタラプタ１０の検出信号を受けてズームリセット位置を判定し、Ｓ７０４に進む。フォトインタラプタ１０が明状態から暗状態に変化するまでの間、Ｓ７０４にてナット６−３を繰り出して後方に駆動させる制御が行われる。Ｓ７０５で制御部はフォトインタラプタ１０が暗状態であるか否かを判定する。判定結果が暗状態の場合、Ｓ７０６に処理を進め、また判定結果が明状態の場合、Ｓ７０４に戻る。
次にフォトインタラプタ１０が暗状態から明状態になるまでの間、Ｓ７０６ではフォーカス駆動部６の駆動方向が反転する。すなわち、ナット６−３を、Ｓ７０４の場合とは逆方向（前方）に繰り込む駆動制御が行われる。Ｓ７０７で制御部はフォトインタラプタ１０が明状態であるか否かを判定する。判定結果が明状態の場合、Ｓ７０８に処理を進め、また判定結果が暗状態の場合、Ｓ７０６に戻る。Ｓ７０８で制御部はフォトインタラプタ１０の検出信号を受けて、明状態となった位置をフォーカスリセット位置と判定する。
上述のように図６（Ａ）から（Ｃ）に示す状態においては、回転筒８および直進案内筒９と、フォーカスレンズ保持枠７の腕部７−１は接しながら移動することとなる。そこで本実施形態では、図１および図４に示すように、直進案内筒９において、フォーカスレンズ保持枠７の腕部７−１が沈胴時に重なる位置に切り欠き部９−２を設けている。更には回転筒８において、フォーカスレンズ保持枠７の腕部７−１と重なる位置に切り欠き部８−１を設けている。つまり、切り欠き部８−１は、ズームレンズのリセット位置が検出される状態までフォーカスレンズ保持枠７の腕部７−１と回転筒８が当接しない角度範囲に亘って形成されている。これにより、レンズ鏡筒２の薄型化が実現される。リードスクリューを設けて直接にフォーカスレンズ保持枠と螺合させることでフォーカス駆動を行う場合、駆動モータ側へ延びる腕部の厚み分が光軸方向の小型化に影響を及ぼすという問題が本実施形態により解決される。
【００１７】
また図１および４に示すように、回転筒８に形成した切り欠き部８−１においては、図６（Ｃ）の状態で腕部７−１が接近する側の端部をテーパー部８−２としている。更にはフォーカスレンズ保持枠７の腕部７−１についても同様に、図６（Ｃ）の状態で回転筒８に接近する側の稜線をテーパー部７−４としている。これは以下の理由による。
レンズ鏡筒２の沈胴時にナット６−３の位置がプログラムエラー等で想定位置よりも離れた状態で止まっていた場合、フォーカスレンズ保持枠７と回転筒８および直進案内筒９が接しながら動く範囲が増加してしまう。その結果、回転筒８に設けた切り欠き部８−１の段差部がフォーカスレンズ保持枠７の腕部７−１と衝突して動かなくなってしまうおそれがある。そこで、この問題を、前記のように各部材にテーパー部を形成することにより解決できる。
また、上述のようにフォーカスレンズ保持枠７の腕部７−１は、回転筒８の切り欠き部８−１と一体的に（接触することなく近接した状態で）光軸方向へ相対的に移動する。その際、腕部７−１が回転筒８と擦れながら移動してしまうとフォーカスレンズの光軸と直交した面方向でのズレが発生してしまうおそれがある。あるいは振動等により光軸方向にもズレが発生し、ズームリセット位置の検出誤差が発生するおそれがある。そこで、フォーカスレンズ保持枠７の腕部７−１と回転筒８の切り欠き部８−１との間には沈胴時にクリアランスが設けられており、フォーカスレンズ保持枠７の腕部７−１には直進案内筒９の切り欠き部９−２と当接する当接部７−３（図４参照）が設けられている。
【００１８】
次に、回転筒８の内周面に設けられたカム溝、つまりズームレンズ保持枠１２を光軸方向へ移動させるためのカム溝と、切り欠き部８−１について光軸回り方向の位置関係を説明する。
図８は回転筒８のカム展開図である。カム溝８−４は上述のように、ズームレンズ保持枠１２に設けたカムフォロア１２−１に対応しており、本例では１２０度の位相角で３本形成されている。これらのカム溝８−４は、沈胴位置から広角端位置や望遠端位置に亘ってズームレンズ保持枠１２を移動させるためのカム形状を有する。破線枠で示す３箇所の部分８−６はズームレンズ保持枠１２のカムフォロア１２−１の組み込み位相に対応しており、３本のカム溝８−４のうち、１本のカム溝（図８の左端部参照）の組み込み位相となる部分が、切り欠き部８−１の端部と一致している。これにより、切り欠き部８−１の形成によりカム溝８−４が大きく欠落することはないので、機能上必要な領域を確保でき、更には組み込み時の作業性を低下させることもない。
以上、説明したように本実施形態によれば、ズームリセット位置およびフォーカスリセット位置の検出を１つの位置検出手段で行う場合でも、リセット位置の検出精度を低下させることなく、高倍率でありながらレンズ鏡筒の小型化および薄型化を実現できる。
【符号の説明】
【００１９】
１  ：  デジタルカメラ本体
２  ：  レンズ鏡筒
５  ：  ズーム駆動部
６  ：  フォーカス駆動部
７  ：  フォーカスレンズ保持枠
８  ：  回転筒
９  ：  直進案内筒
１０  ：  フォトインタラプタ
１１  ：  固定筒
１２  ：  ズームレンズ保持枠
【図１】
2013156490.tif 000003
【図２】
2013156490.tif 000004
【図３】
2013156490.tif 000005
【図４】
2013156490.tif 000006
【図５】
2013156490.tif 000007
【図６】
2013156490.tif 000008
【図７】
2013156490.tif 000009
【図８】
2013156490.tif 000010